(57)【要約】【課題】同一の画像に複数の被写体が写っている場合において、複数の被写体の位置情報を画像に関連付けることを可能とする撮影装置、および位置情報処理方法を提供する。【解決手段】本撮影装置は、撮影レンズおよび露出制御用の絞りを備えた撮影手段と、撮影時の位置を示す位置情報を取得する位置情報取得手段と、撮影方向を示す方位情報を取得する方位情報取得手段と、第１の被写体を撮影する際に調整された、焦点距離および絞りにかかる絞り値に基づいて、被写界深度を算出する被写界深度算出手段と、位置情報と、方位情報と、被写界深度とに基づいて、第１の被写体と、第１の被写体の後方に位置する第２の被写体の位置情報を算出する位置情報処理手段と、撮影手段が撮影した画像データと、第１の被写体の位置情報および第２の被写体の位置情報とを関連付けて記憶する記憶手段と、を備えた構成を有する。【選択図】図１
2013207326.tif 000002
【特許請求の範囲】
【請求項１】
撮影レンズおよび露出制御用の絞りを備えた撮影手段と、
前記撮影手段による撮影時の位置を示す位置情報を取得する位置情報取得手段と、
前記撮影手段の撮影方向を示す方位情報を取得する方位情報取得手段と、
前記撮影手段が第１の被写体を撮影する際に調整された、前記撮影レンズにかかる焦点距離および前記絞りにかかる絞り値に基づいて、被写界深度を算出する被写界深度算出手段と、
前記位置情報と、前記方位情報と、前記被写界深度とに基づいて、前記第１の被写体と、前記第１の被写体の後方に位置する第２の被写体の位置情報を算出する位置情報処理手段と、
前記撮影手段が撮影した画像データと、前記第１の被写体の位置情報および前記第２の被写体の位置情報とを関連付けて記憶する記憶手段と、
を有する撮影装置。
【請求項２】
前記記憶手段は、前記被写界深度が閾値よりも小さい場合、前記第１の被写体の位置情報のみを前記画像データに関連付けて記憶する請求項１記載の撮影装置。
【請求項３】
前記撮影手段の水平に対する撮影方向の角度を検出できる角度検出手段をさらに備え、
前記記憶手段は、前記角度が閾値よりも小さい場合、前記第１の被写体の位置情報および前記第２の被写体の位置情報を前記画像データに関連付けて記憶しない請求項１記載の撮影装置。
【請求項４】
前記位置情報を取得する際の受信感度が測定可能な受信感度測定手段をさらに備え、
前記記憶手段は、前記受信感度が閾値よりも小さい場合、前記第１の被写体の位置情報および前記第２の被写体の位置情報を前記画像データに関連付けて記憶しないことを特徴とする、請求項１記載の撮影装置。
【請求項５】
画像データを撮影する撮影装置における位置情報処理方法であって、
撮影時の位置を示す位置情報を取得するステップと、
撮影方向を示す方位情報を取得するステップと、
第１の被写体を撮影する際に調整された、撮影レンズの焦点距離および露出制御用の絞りの絞り値に基づいて、被写界深度を算出するステップと、
前記位置情報と、前記方位情報と、前記被写界深度とに基づいて、前記第１の被写体の位置情報と、前記第１の被写体の後方に位置する第２の被写体の位置情報を算出するステップと、
前記画像データと、前記第１の被写体の位置情報および前記第２の被写体の位置情報とを関連付けて記憶するステップと、
を有する位置情報処理方法。
【発明の詳細な説明】
【技術分野】
【０００１】
本発明は、撮影装置、および位置情報処理方法に関し、特に、撮影対象の位置情報を画像データに関連付けて記録する撮影装置、および位置情報処理方法に関する。
【背景技術】
【０００２】
近年、カメラ付携帯電話やデジタルカメラと携帯電話とを組み合わせたシステムにおいて、撮影を行なった場合、ＧＰＳ（Ｇｌｏｂａｌ  Ｐｏｓｉｔｉｏｎｉｎｇ  Ｓｙｓｔｅｍ）などにより撮影場所の位置情報（緯度／経度）を取得し、この位置情報を撮影画像に関連付けて保存する技術が知られている。
【０００３】
また、撮影場所の位置情報と撮影画像とを関連付ける以外にも、被写体の位置情報と撮影画像とを関連付ける従来技術が、例えば特許文献１に開示されている。
【０００４】
特許文献１においては、カメラ機能により被写体を撮影した際に、オートフォーカス機能を利用して撮影されることに着目して、撮影時の焦点距離に基づいて被写体までの距離を算出するとともに、撮影位置における被写体の方位を検出して前記被写体までの距離と方位により被写体の推定位置を求め、その推定位置を画像データに関連付ける方式が提案されている。
【先行技術文献】
【特許文献】
【０００５】
【特許文献１】特開２００９―１０９４１５号公報
【発明の概要】
【発明が解決しようとする課題】
【０００６】
しかしながら、従来技術では、撮影対象となる被写体のみの位置情報しか画像に関連付けて保存できないため、１枚の画像に複数の被写体（例えば、人物と風景など）が写っている場合、複数の被写体の位置情報を画像に関連付けて保存することができないという問題点があった。
【０００７】
本発明は上記実情を鑑みて為されたもので、同一の画像に複数の被写体が写っている場合において、複数の被写体の位置情報を画像に関連付けることを可能とする撮影装置、および位置情報処理方法を提供することを目的とする。
【課題を解決するための手段】
【０００８】
本発明の撮影装置は、撮影レンズおよび露出制御用の絞りを備えた撮影手段と、前記撮影手段による撮影時の位置を示す位置情報を取得する位置情報取得手段と、前記撮影手段の撮影方向を示す方位情報を取得する方位情報取得手段と、前記撮影手段が第１の被写体を撮影する際に調整された、前記撮影レンズにかかる焦点距離および前記絞りにかかる絞り値に基づいて、被写界深度を算出する被写界深度算出手段と、前記位置情報と、前記方位情報と、前記被写界深度とに基づいて、前記第１の被写体と、前記第１の被写体の後方に位置する第２の被写体の位置情報を算出する位置情報処理手段と、前記撮影手段が撮影した画像データと、前記第１の被写体の位置情報および前記第２の被写体の位置情報とを関連付けて記憶する記憶手段と、を備えた構成を有する。
【０００９】
この構成により、同一の画像に複数の被写体が写っている場合において、複数の被写体の位置情報を画像に関連付けることができる。
【００１０】
また、本発明の撮影装置は、前記記憶手段が、前記被写界深度が閾値よりも小さい場合、前記第１の被写体の位置情報のみを前記画像データに関連付けて記憶する構成としてもよい。
【００１１】
この構成により、被写体と背景の距離が近い場合には、被写体の位置情報のみを画像に関連付けて保存することにより、冗長となる位置情報を排除することができ、ユーザの利便性を向上させることができる。
【００１２】
また、本発明の撮影装置は、前記撮影手段の水平に対する撮影方向の角度を検出できる角度検出手段をさらに備え、前記記憶手段が、前記角度が閾値よりも小さい場合、前記第１の被写体の位置情報および前記第２の被写体の位置情報を前記画像データに関連付けて記憶しない構成としてもよい。
【００１３】
この構成により、撮影時の角度が地面に対して（水平状態から）一定以上の角度である場合は、被写体や背景の位置情報を画像に関連付けず画像のみを保存することにより、冗長となる位置情報を排除することができ、ユーザの利便性を向上させることができる。
【００１４】
また、本発明の撮影装置は、前記位置情報を取得する際の受信感度が測定可能な受信感度測定手段をさらに備え、前記記憶手段が、前記受信感度が閾値よりも小さい場合、前記第１の被写体の位置情報および前記第２の被写体の位置情報を前記画像データに関連付けて記憶しないことを特徴とする構成としてもよい。
【００１５】
この構成により、撮影時のＧＰＳ受信感度が一定の値を下回る場合は、被写体や背景の位置情報を画像に関連付けず画像のみを保存することにより、冗長となる位置情報を排除することができ、ユーザの利便性を向上させることができる。
【００１６】
また、本発明の位置情報処理方法は、画像データを撮影する撮影装置における位置情報処理方法であって、撮影時の位置を示す位置情報を取得するステップと、撮影方向を示す方位情報を取得するステップと、第１の被写体を撮影する際に調整された、撮影レンズの焦点距離および露出制御用の絞りの絞り値に基づいて、被写界深度を算出するステップと、前記位置情報と、前記方位情報と、前記被写界深度とに基づいて、前記第１の被写体の位置情報と、前記第１の被写体の後方に位置する第２の被写体の位置情報を算出するステップと、前記画像データと、前記第１の被写体の位置情報および前記第２の被写体の位置情報とを関連付けて記憶するステップと、を有する。
【００１７】
この方法により、同一の画像に複数の被写体が写っている場合において、複数の被写体の位置情報を画像に関連付けることができる。
【発明の効果】
【００１８】
本発明によれば、同一の画像に複数の被写体が写っている場合において、複数の被写体の位置情報を画像に関連付けることができる。
【図面の簡単な説明】
【００１９】
【図１】本発明の実施の形態１における撮影装置の構成を示すブロック図
【図２】本発明の実施の形態１における撮影画像の一例と、当該撮影画像における撮影場所、被写体、背景の位置関係を示す図
【図３】本発明の実施の形態１における撮影装置１の処理手順を示すフローチャート
【図４】本発明の実施の形態１における撮影画像および位置情報の画面表示例を示す図
【図５】本発明の実施の形態２における撮影装置１の構成を示すブロック図
【図６】本発明の実施の形態２における撮影装置１の処理手順を示すフローチャート
【図７】本発明の実施の形態３における撮影装置１の構成を示すブロック図
【図８】本発明の実施の形態３における撮影装置１の処理手順を示すフローチャート
【図９】本発明の実施の形態４における撮影装置１の構成を示すブロック図
【図１０】本発明の実施の形態４における撮影装置１の処理手順を示すフローチャート
【発明を実施するための形態】
【００２０】
以下、本発明を実施する形態について、図面を参照しながら説明する。
【００２１】
（実施の形態１）
図１は、本発明の実施の形態１における撮影装置１の構成を示すブロック図である。
【００２２】
撮影装置１は、撮影部１０（撮影手段）と、位置検出部２０（位置情報取得手段）と、方位検出部３０（方位情報取得手段）と、制御部４０と、メモリ部５０（記憶手段）と、操作部６０と、表示部７０とから構成されている。
【００２３】
撮影部１０は、焦点距離検出部１０１と、絞り値（Ｆ値）検出部１０２とを備える。
【００２４】
制御部４０は、被写界深度算出部４０１（被写界深度算出手段）と、位置情報処理部４０２（位置情報処理手段）とを備える。
【００２５】
次に、本発明の実施の形態１における撮影装置１の各部について具体的に説明する。
【００２６】
撮影部１０では、撮影レンズにて被写体を撮影する撮像光学系を構成し、露出制御用の絞りにて入射光量を制限することにより、撮像素子に適正な露光量の光を入射させ、光電気変換によって電気信号に変換される。その後、信号処理回路にて輝度信号と色信号に分離し（Ｙ／Ｃ分離）、映像信号処理、色信号処理、ガンマ補正等を行い、画像信号が生成される。
【００２７】
焦点距離検出部１０１は、撮影レンズにて被写体を撮影する際に調整された焦点距離を検出し、制御部４０に通知する。
【００２８】
絞り値（Ｆ値）検出部１０２は、撮影レンズにて被写体を撮影する際に調整された露出制御用の絞り値（Ｆ値）を検出し、制御部４０に通知する。
【００２９】
位置検出部２０は、ＧＰＳ受信機等で構成され、複数のＧＰＳ衛星からの時刻情報を含む電波を受信して現在の受信位置を特定するものであり、撮影場所の位置情報を特定し制御部４０に通知する。
【００３０】
方位検出部３０は、加速度センサや地磁気センサから構成され、撮像装置の向き（撮像装置のレンズの向いている方向）を示す方位を検出するものであり、撮影時に向いていた方位情報を検出し、制御部４０に通知する。
【００３１】
制御部４０は、焦点距離検出部１０１から通知された焦点距離と、前記絞り値（Ｆ値）検出部１０２から通知された絞り値（Ｆ値）に基づいて、撮影した画像にてピントが合っている範囲を示す被写界深度を算出する。また、制御部４０は、位置情報処理部４０２にて、位置検出部２０から通知された撮影場所の位置情報、方位検出部３０から通知された撮影の方位情報、被写界深度算出部４０１にて算出された被写界深度に基づいて、撮影場所から被写体までの距離と、被写体から背景までの距離を算出し、これらの位置情報を撮影画像に関連付けて保存する。
【００３２】
被写界深度算出部４０１は、焦点距離検出部１０１から検出された焦点距離と、絞り値（Ｆ値）検出部１０２から検出された絞り値（Ｆ値）に基づいて、メモリ部５０に記録されているＬｏｏｋＵｐＴａｂｌｅを参照することにより被写界深度を算出し、メモリ部５０に記録する。
【００３３】
位置情報処理部４０２は、被写界深度算出部４０１にて算出された被写界深度と、位置検出部２０にて検出された位置情報と、方位検出部３０にて検出された方位情報と、被写界深度算出部４０１にて算出された被写界深度を基づいて、撮影場所から被写体までの距離と、被写体から背景までの距離を算出し、これらの位置情報をメモリ部５０に記録する。
【００３４】
メモリ部５０は、制御部４０において実行される各種処理、画像や様々な設定情報、位置情報、方位情報の記憶領域として使用される。また、メモリ部５０は、被写界深度算出部４０１にて使用される、焦点距離と絞り値（Ｆ値）から被写界深度を算出する際の対応が示されたＬｏｏｋＵｐＴａｂｌｅを保管する。また、メモリ部５０は、位置情報処理部４０２において算出された被写体と背景の位置情報についても撮影画像に関連づけて記録する。
【００３５】
操作部６０は、シャッター、フォーカス調整やモード設定等の機能をもつ。
【００３６】
表示部７０は、撮影画像の表示処理、あるいはユーザに対する操作情報、設定情報の表示部として使用される。
【００３７】
図２は撮影画像の一例と、当該撮影画像における撮影場所、被写体（請求項における第１の被写体に相当）、背景（請求項における第２の被写体に相当）の位置関係を示す図である。
【００３８】
撮影場所の位置は、位置検出部２０により検出された位置情報であり、緯度・経度からなる座標（Ｘ０、Ｙ０）で示される。被写体の位置情報については、撮影時にピント調整された際に焦点距離検出部１０１によって検出された焦点距離に基づいて撮影位置から被写体までの距離（Ｌ１）が算出され、これに前記方位検出部３０によって検出された撮影の方位情報を踏まえることにより、被写体の位置情報（Ｘ１、Ｙ１）を算出することができる。
【００３９】
背景の位置情報の算出方法を説明するにあたり、被写体および背景までの  距離に対する被写界深度の原理を先に説明する。
【００４０】
図２において撮影装置から被写体までの距離を「Ｌ１」、被写体から背景までの距離を「Ｌ２」とする。同図において、距離Ｌ１に対して被写体にピントが合っている状態で、距離Ｌ１よりも撮像装置から近い部分でピントが合う前方被写界深度を「Ｄａ」、遠い部分でピントが合う後方被写界深度を「Ｄｂ」とする。被写界深度を「Ｄ」、レンズの焦点距離を「ｆ」、撮影レンズ部の絞り値（Ｆ値）を「Ｆｎｏ」とし、許容錯乱円を「σ」とすると、被写界深度、前方被写界深度、後方被写界深度は下式で表される。
【００４１】
[数１]
｜被写界深度（Ｄ）｜＝｜｜前方被写界深度（Ｄａ）｜＋｜後方被写界深度（Ｄｂ）｜
｜前方被写界深度（Ｄａ）｜＝｜（σ×Ｆｎｏ×Ｌ１２）／（ｆ２＋σ×Ｆｎｏ×Ｌ１）｜
｜後方被写界深度（Ｄｂ）｜＝｜（σ×Ｆｎｏ×Ｌ１２）／（ｆ２―σ×Ｆｎｏ×Ｌ１）｜
上記を踏まえ、背景の位置情報の算出方法を説明する。
【００４２】
被写界深度算出部４０１は、焦点距離検出部１０１によって検出された焦点距離と絞り値（Ｆ値）検出部１０２とによって検出された絞り値（Ｆ値）から上記の式に基づき被写界深度を算出する。
【００４３】
次に、位置情報処理部４０２は、前記位置情報、前記方位情報、前記撮影位置から被写体までの距離（Ｌ１）に基づいて被写体から背景までの距離（Ｌ２）およびを背景の位置情報（Ｘ２、Ｙ２）を算出する。
【００４４】
図３は、本発明の実施の形態１における撮影装置１の撮影時の処理手順を示すフローチャートである。
【００４５】
まず、初めに前記操作部６０にて撮影装置１における撮影の起動操作が行われ、撮影装置１を起動させる。
【００４６】
次に撮影において、ユーザのマニュアル操作あるいはオートフォーカス機能の使用により撮影される被写体を認識し、ズーム／ピント調整が行われる（ステップＳ１）。
【００４７】
次に、被写界深度算出部４０１は、ズーム／ピント調整された状態にて、焦点距離検出部１０１により検出された焦点距離と、絞り値（Ｆ値）検出部１０２より検出された絞り値（Ｆ値）を元に、メモリ部５０に格納されたＬｏｏｋＵｐＴａｂｌｅを参照して被写界深度を算出する（ステップＳ２）。
【００４８】
また、被写界深度算出部４０１は、撮影装置１のある現在位置から被写体までの距離（Ｌ１）と、被写体から背景（被写界深度遠点）までの距離（Ｌ２）を算出する（ステップＳ３）（図２参照）。
【００４９】
次に、位置検出部２０は、撮影装置１の現在位置（Ｘ０、Ｙ０）を検出し、方位検出部３０は、撮影装置１の向いている方位（撮影方位）を検出する（ステップＳ４）。
【００５０】
次に、位置情報処理部４０２は、ステップＳ３にて算出された距離（Ｌ１）、距離（Ｌ２）と、ステップＳ４にて検出された現在位置（Ｘ０、Ｙ０）と、撮影方位とに基づき、被写体の位置情報（Ｘ１、Ｙ１）と背景の位置情報（Ｘ２、Ｙ２）とを算出する（ステップＳ５）
上記算出完了後、シャッターが作動し、撮影が行われる（ステップＳ６）
次に、位置情報処理部４０２は、被写体および背景の位置が特定できたか否かを判別し、特定できた場合はステップＳ８へ、特定できなかった場合はステップＳ９へ進む（ステップＳ７）。
【００５１】
次に、位置情報処理部４０２が被写体および背景の位置が特定できた場合（ステップＳ７、Ｙｅｓ）、位置情報処理部４０２は、撮影した画像データと、前記算出した被写体および背景の位置情報を関連付けてメモリ部５０に保存する（ステップＳ８）
一方、位置情報処理部４０２が被写体および背景の位置が特定できなかった場合（ステップＳ７Ｎｏ）、位置情報処理部４０２は、撮影した画像データを前記メモリ部５０に保存し、被写体および背景の位置情報については正しく算出できなかった旨を示すエラー表示を出力させる（ステップＳ９）
以上より、本実施の形態１により説明した撮影装置１において、同一の画像に複数の被写体が写っている場合において、複数の被写体の位置情報を画像に関連付けることができる。
【００５２】
これにより、被写体と背景の位置が離れている場合においても、それぞれの位置情報を関連付けて保存することができるようになるため、被写体と背景のいずれの位置情報からも検索することが可能となり、アルバム等の大量の画像データの中から所望の画像を検索する際も効率の良い検索が可能となる。
【００５３】
（実施の形態２）
本発明の実施の形態２における撮影装置は、被写体（第１の被写体）と背景（第２の被写体）の距離が近い場合には、被写体の位置情報のみを画像に関連付けて保存する点が、実施の形態１における撮影装置とは異なる。
【００５４】
図５は、本発明の実施の形態２における撮影装置の構成を示すブロック図である。図５において、図１と同じ構成要素については同じ符号を用い、説明を省略する。
【００５５】
制御部４０は、被写界深度算出部４０１と、位置情報処理部４０２と、被写界深度判定部４０３を備える。
【００５６】
被写界深度判定部４０３は、被写界深度算出部４０１から通知された被写界深度をメモリ部５０に格納された被写界深度閾値と比較する。被写界深度判定部４０３は、被写界深度が閾値よりも大きい場合には、位置情報処理部４０２から通知された被写体と背景の位置情報を画像に関連付けて前記メモリ部５０に保存する。一方、被写界深度判定部４０３は、被写界深度が閾値よりも小さい場合には、被写体の位置情報のみを画像に関連付けて保存する。
【００５７】
図６は、本発明の実施の形態２における撮影装置１の撮影時の処理手順を示すフローチャートである。図６において、図３に記載した処理と同じ処理については同じ符号を用い、説明を省略する。
【００５８】
被写界深度判定部４０３は、前記被写界深度算出部４０１から通知された被写界深度をメモリ部５０に格納された被写界深度閾値と比較する（ステップＳ１０）。
【００５９】
ここで、被写界深度判定部４０３は、被写界深度が閾値よりも大きい場合（ステップＳ１０、Ｙｅｓ）、撮影した画像データと、算出した被写体および背景の位置情報を関連付けてメモリ部５０に保存する（ステップＳ８）。
【００６０】
一方、被写界深度判定部４０３は、被写界深度が閾値よりも小さい場合（ステップＳ１０、Ｎｏ）、撮影した画像データに前記算出した被写体の位置情報のみを関連付けてメモリ部５０に保存する（ステップＳ１１）。
【００６１】
以上より、本実施の形態２により説明した撮影装置１において、被写体と背景の距離が近い場合には、被写体の位置情報のみを画像に関連付けて保存することにより、冗長となる位置情報を排除することができ、ユーザの利便性を向上させることができる。
【００６２】
（実施の形態３）
本発明の実施の形態３における撮影装置は、撮影時の角度が地面に対して（水平状態から）一定以上の角度である場合は、被写体（第１の被写体）や背景（第２の被写体）の位置情報を画像に関連付けず画像のみを保存する点が、実施の形態１における撮影装置とは異なる。
【００６３】
図７は、本発明の実施の形態３における撮影装置の構成を示すブロック図である。図７において、図１と同じ構成要素については同じ符号を用い、説明を省略する。
【００６４】
角度検出部８０（角度検出手段）は、加速度センサやジャイロセンサから構成され、撮像装置の地面に対する傾き（水平に対する傾き）を検出するものであり、撮影時における傾きを検出し、制御部４０に通知する。
【００６５】
制御部４０は、被写界深度算出部４０１と、位置情報処理部４０２と、角度判定部４０４を備える。
【００６６】
角度判定部４０４は、角度検出部８０から通知された角度をメモリ部５０に格納された角度閾値と比較する。角度判定部４０４は、角度が閾値よりも小さい場合には、位置情報処理部４０２から通知された被写体と背景の位置情報を画像に関連付けてメモリ部５０に保存する。一方、角度判定部４０４は、角度が閾値よりも大きい場合には、被写体や背景の位置情報を画像に関連付けず、画像のみを保存する。
【００６７】
図８は、本発明の実施の形態３における撮影装置１の撮影時の処理手順を示すフローチャートである。図８において、図３に記載した処理と同じ処理については同じ符号を用い、説明を省略する。
【００６８】
角度判定部４０４は、前記角度検出部８０から通知された角度が、メモリ部５０に格納された角度閾値と比較する（ステップＳ１２）。
【００６９】
ここで、角度判定部４０４は、角度が閾値よりも小さい場合（ステップＳ１２、Ｙｅｓ）、撮影した画像データと、算出した被写体および背景の位置情報を関連付けてメモリ部５０に保存する（ステップＳ８）。
【００７０】
一方、角度判定部４０４は、角度が閾値よりも大きい場合（ステップＳ１２、Ｎｏ）、撮影した画像データに被写体や背景の位置情報を画像に関連付けず、撮影した画像データのみをメモリ部５０に保存する（ステップＳ１３）
以上より、本実施の形態３により説明した撮影装置１において、撮影時の角度が地面に対して（水平状態から）一定以上の角度である場合は、被写体や背景の位置情報を画像に関連付けず画像のみを保存することにより、冗長となる位置情報を排除することができ、ユーザの利便性を向上させることができる。
【００７１】
（実施の形態４）
本発明の実施の形態４における撮影装置は、撮影時のＧＰＳ受信感度が一定の値を下回る場合は、被写体（第１の被写体）や背景（第２の被写体）の位置情報を画像に関連付けず画像のみを保存する点が、実施の形態１における撮影装置とは異なる。
【００７２】
図９は、本発明の実施の形態４における撮影装置の構成を示すブロック図である。図９において、図１と同じ構成要素については同じ符号を用い、説明を省略する。
【００７３】
ＧＰＳ受信感度検出部９０（受信感度測定手段）は、位置検出部２０においてＧＰＳ衛星からの時刻情報を含む電波を受信する際の受信電波強度を検出し、制御部４０に通知する。
【００７４】
制御部４０は、被写界深度算出部４０１と、位置情報処理部４０２と、ＧＰＳ受信感度判定部４０５を備える。
【００７５】
ＧＰＳ受信感度判定部４０５は、ＧＰＳ受信感度検出部９０から通知されたＧＰＳ受信感度をメモリ部５０に格納されたＧＰＳ受信感度閾値と比較する。ＧＰＳ受信感度判定部４０５は、ＧＰＳ受信感度が閾値よりも大きい場合には、位置情報処理部４０２から通知された被写体と背景の位置情報とを画像に関連付けてメモリ部５０に保存する。一方、ＧＰＳ受信感度判定部４０５は、ＧＰＳ受信感度が閾値よりも小さい場合には、被写体や背景の位置情報を画像に関連付けず、画像のみを保存する。
【００７６】
図１０は、本発明の実施の形態４における撮影装置１の撮影時の処理手順を示すフローチャートである。図１０において、図３と同じフローチャートについては同じ符号を用い、説明を省略する。
【００７７】
ＧＰＳ受信感度判定部４０５は、ＧＰＳ受信感度検出部９０から通知されたＧＰＳ受信感度と、メモリ部５０に格納されたＧＰＳ受信感度閾値とを比較する（ステップＳ１４）。
【００７８】
ここで、ＧＰＳ受信感度判定部４０５は、ＧＰＳ受信感度が閾値よりも大きい場合（ステップＳ１４、Ｙｅｓ）、撮影した画像データと、算出した被写体および背景の位置情報を関連付けてメモリ部５０に保存する（ステップＳ８）。
【００７９】
一方、ＧＰＳ受信感度判定部４０５は、ＧＰＳ受信感度が閾値よりも大きい場合（ステップＳ１４、Ｎｏ）、撮影した画像データに被写体や背景の位置情報を画像に関連付けず、撮影した画像データのみをメモリ部５０に保存する（ステップＳ１３）。
【００８０】
以上より、本実施の形態４により説明した撮影装置１において、撮影時のＧＰＳ受信感度が一定の値を下回る場合は、被写体や背景の位置情報を画像に関連付けず画像のみを保存することにより、冗長となる位置情報を排除することができ、ユーザの利便性を向上させることができる。
【産業上の利用可能性】
【００８１】
本発明は、同一の画像に複数の被写体が写っている場合において、複数の被写体の位置情報を画像に関連付けることができるといった効果を有し、デジタルカメラや、画像撮影機能を有する携帯電話、スマートフォン等の電子機器への適用が可能である。
【符号の説明】
【００８２】
１０    撮影部
１０１    焦点距離検出部
１０２    絞り値（Ｆ値）検出部
２０    位置検出部
３０    方位検出部
４０    制御部
４０１    被写界深度算出部
４０２    位置情報処理部
４０３    被写界深度判定部
４０４    角度判定部
４０５    ＧＰＳ受信感度判定部
５０    メモリ部
６０    操作部
７０    表示部
８０    角度検出部
９０    ＧＰＳ受信感度検出部
【図１】
2013207326.tif 000003
【図２】
2013207326.tif 000004
【図３】
2013207326.tif 000005
【図４】
2013207326.tif 000006
【図５】
2013207326.tif 000007
【図６】
2013207326.tif 000008
【図７】
2013207326.tif 000009
【図８】
2013207326.tif 000010
【図９】
2013207326.tif 000011
【図１０】
2013207326.tif 000012